(57)【要約】【課題】浮きを生じさせることなく正しく位置決めした状態での取り付けが可能なチャッキングプレート押さえを提供する。【解決手段】チャッキングプレートの回転を許容しつつ上シェル４（取付対象体）からのチャッキングプレートの離脱を規制するチャッキングプレート押さえ８であって、上シェル４に対するチャッキングプレート押さえ８の取り付け位置を規制する位置決め用孔２４がチャッキングプレート押さえ８における上シェル４側の一面から他面にかけて連通形成され、位置決め用孔２４は、チャッキングプレート押さえ８の厚み方向における中心よりも厚み方向における一面側にその内径が最も小さい最小径部３１が形成されると共に一面側の口縁部から最小径部３１に向かうに従ってその内径が徐々に小さくなるように形成されている。【選択図】図６
2007048357.tif 000002
【特許請求の範囲】
【請求項１】
チャッキングプレートの回転を許容しつつ取付対象体からの当該チャッキングプレートの離脱を規制するチャッキングプレート押さえであって、
前記取付対象体に対する当該チャッキングプレート押さえの取り付け位置を規制する位置決め用孔が当該チャッキングプレート押さえにおける当該取付対象体側の一面から他面にかけて連通形成され、
当該位置決め用孔は、当該チャッキングプレート押さえの厚み方向における中心よりも当該厚み方向における前記一面側にその内径が最も小さい最小径部が形成されると共に当該一面側の口縁部から当該最小径部に向かうに従ってその内径が徐々に小さくなるように形成されているチャッキングプレート押さえ。
【請求項２】
前記位置決め用孔は、前記最小径部から前記他面側の口縁部に向かうに従ってその内径が徐々に大きくなるように形成されている請求項１記載のチャッキングプレート押さえ。
【請求項３】
請求項１または２記載のチャッキングプレート押さえと、前記チャッキングプレートと、前記位置決め用孔に挿入可能な位置決め用凸部が形成された前記取付対象体としてのカートリッジ本体とを備え、当該カートリッジ本体内にディスク状記録媒体を収容可能に構成されているカートリッジケース。
【請求項４】
請求項３記載のカートリッジケース内に前記ディスク状記録媒体が収容されているディスクカートリッジ。
【発明の詳細な説明】
【技術分野】
【０００１】
本発明は、チャッキングプレートの回転を許容しつつ取付対象体からの離脱を規制するチャッキングプレート押さえ、そのチャッキングプレート押さえを備えてディスク状記録媒体を収容可能に構成されたカートリッジケース、およびそのカートリッジケース内にディスク状記録媒体が収容されたディスクカートリッジに関するものである。
【背景技術】
【０００２】
この種のチャッキングプレート押さえを備えたディスクカートリッジが特開２００３−９１９５５号公報に開示されている。このディスクカートリッジは、ディスク状記録媒体およびインナーロータ等がカートリッジ筐体（カートリッジ本体：下シェルおよび上シェル）内に収容されて構成されている。また、このディスクカートリッジでは、記録再生装置のディスク回転機構にディスク状記録媒体をチャッキングするための金属製のチャッキングプレートがチャッキングプレート押さえによって上シェルの内面側に回転自在に取り付けられている。この場合、チャッキングプレート押さえは、リング状の底面部と、円筒状の周壁部と、リング状の鍔状固定部とが樹脂材料によって一体成形されている。また、チャッキングプレート押さえにおける鍔状固定部には、上シェルの内面側に立設された位置決めピンを挿入可能な位置決めピン挿入孔が形成されている。
【０００３】
この場合、この種のディスクカートリッジでは、図８に示すように、チャッキングプレート押さえ８ｘにおける位置決めピン挿入孔８ｅｘ，８ｆｘ（以下、「挿入孔８ｅｘ，８ｆｘ」ともいう）の最小径部３１ｘの内径と、上シェル２１ｘに形成された位置決めピン２１ｑｘ，２１ｒｘの外径とがほぼ等しい径となるようにチャッキングプレート押さえ８ｘおよび上シェル２１ｘが形成されている。また、挿入孔８ｅｘ，８ｆｘは、位置決めピン２１ｑｘ，２１ｒｘの挿入方向（同図における矢印Ｉの向き）における手前側（取付対象体である上シェル２１ｘ側：同図における下側）の口縁部から最小径部３１ｘに向かうに従ってその内径が徐々に小さくなるように斜面３２ｘが形成されている。さらに、挿入孔８ｅｘ，８ｆｘは、チャッキングプレート押さえ８ｘ（鍔状固定部８ｄｘ）の厚み方向における中心（同図に一点鎖線で示す部位）よりも位置決めピン２１ｑｘ，２１ｒｘの挿入方向における奥側に最小径部３１ｘが位置するように形成されている。したがって、上シェル２１ｘに対するチャッキングプレート押さえ８ｘの取り付けに際しては、位置決めピン２１ｑｘ，２１ｒｘの先端が斜面３２ｘに当接することよって挿入孔８ｅｘ，８ｆｘおよび位置決めピン２１ｑｘ，２１ｒｘの双方の中心が一致するように上シェル２１ｘに対してチャッキングプレート押さえ８ｘが案内される。これにより、位置決めピン２１ｑｘ，２１ｒｘにおける先端部側の周面に挿入孔８ｅｘ，８ｆｘの最小径部３１ｘおよび内壁面３３ｘが当接するようにしてチャッキングプレート押さえ８ｘが位置決めされる。この状態において、例えば超音波溶着法によって上シェル２１ｘにチャッキングプレート押さえ８ｘを固着させることにより、上シェル２１ｘに対して位置決めされた状態でチャッキングプレート押さえ８ｘが取り付けられる。
【特許文献１】特開２００３−９１９５５号公報（第３−１２頁、図１−３３）
【発明の開示】
【発明が解決しようとする課題】
【０００４】
ところが、従来のチャッキングプレート押さえ８ｘには、以下の問題点がある。すなわち、従来のチャッキングプレート押さえ８ｘでは、位置決めピン２１ｑｘ，２１ｒｘの挿入方向手前側に案内用の斜面３２ｘが形成されると共に、チャッキングプレート押さえ８ｘ（鍔状固定部８ｄｘ）の厚み方向における挿入方向奥側に最小径部３１ｘが位置するように挿入孔８ｅｘ，８ｆｘが形成されている。したがって、図８に示すように、従来のチャッキングプレート押さえ８ｘでは、案内用の斜面３２ｘにおけるチャッキングプレート押さえ８ｘの厚み方向に沿った長さＬ３ｘが比較的長くなっている。このため、図９に示すように、従来のチャッキングプレート押さえ８ｘでは、位置決めピン２１ｑｘ，２１ｒｘの先端部に斜面３２ｘが当接した状態（引っ掛かりが生じた状態）でチャッキングプレート押さえ８ｘが上シェル２１ｘに取り付けられる事態が生じ易くなっている。したがって、従来のチャッキングプレート押さえ８ｘには、上シェル２１ｘに対してチャッキングプレート押さえ８ｘを正しく位置決めすることができないという問題点があるだけではなく、上シェル２１ｘに対して浮きが生じた状態（鍔状固定部８ｄｘが上シェル２１ｘから離間した状態）でチャッキングプレート押さえ８ｘが取り付けられることがあるという問題点がある。
【０００５】
また、上シェル２１ｘに対して浮きが生じた状態でチャッキングプレート押さえ８ｘが取り付けられたときには、カートリッジケース内で回転させられるディスク状記録媒体がチャッキングプレート押さえ８ｘに接触するおそれがあり、これに起因してディスク状記録媒体をスムーズに回転させるのが困難となるおそれがある。また、接触に起因してディスク状記録媒体およびチャッキングプレート押さえ８ｘの双方に傷付きが生じるおそれもある。さらに、上シェル２１ｘに対して浮きが生じた状態では、チャッキングプレート押さえ８ｘの超音波溶着に際して浮きが生じていない部位のみが上シェル２１ｘに溶着されることとなる。このため、浮きが生じた状態では、鍔状固定部８ｄｘの全域が正しく溶着されている状態と比較して、上シェル２１ｘから外れ易い状態となる。このように、従来のチャッキングプレート押さえ８ｘには、上シェル２１ｘに対して浮きが生じた事態で取り付けられることに起因して、ディスク状記録媒体の回転不良、ディスク状記録媒体およびチャッキングプレート押さえ８ｘの傷付き、およびチャッキングプレート押さえ８ｘの外れなどのトラブルが発生するという問題点が存在する。
【０００６】
本発明は、かかる問題点に鑑みてなされたものであり、浮きを生じさせることなく正しく位置決めした状態での取り付けが可能なチャッキングプレート押さえ、並びに、そのチャッキングプレート押さえを備えたカートリッジケースおよびディスクカートリッジを提供することを主目的とする。
【課題を解決するための手段】
【０００７】
上記目的を達成すべく本発明に係るチャッキングプレート押さえは、チャッキングプレートの回転を許容しつつ取付対象体からの当該チャッキングプレートの離脱を規制するチャッキングプレート押さえであって、前記取付対象体に対する当該チャッキングプレート押さえの取り付け位置を規制する位置決め用孔が当該チャッキングプレート押さえにおける当該取付対象体側の一面から他面にかけて連通形成され、当該位置決め用孔は、当該チャッキングプレート押さえの厚み方向における中心よりも当該厚み方向における前記一面側にその内径が最も小さい最小径部が形成されると共に当該一面側の口縁部から当該最小径部に向かうに従ってその内径が徐々に小さくなるように形成されている。
【０００８】
また、本発明に係るチャッキングプレート押さえは、前記最小径部から前記他面側の口縁部に向かうに従ってその内径が徐々に大きくなるように前記位置決め用孔が形成されている。
【０００９】
また、本発明に係るカートリッジケースは、上記のいずれかのチャッキングプレート押さえと、前記チャッキングプレートと、前記位置決め用孔に挿入可能な位置決め用凸部が形成された前記取付対象体としてのカートリッジ本体とを備え、当該カートリッジ本体内にディスク状記録媒体を収容可能に構成されている。
【００１０】
また、本発明に係るディスクカートリッジは、上記のカートリッジケース内に前記ディスク状記録媒体が収容されている。
【発明の効果】
【００１１】
本発明に係るチャッキングプレート押さえによれば、その厚み方向における中心よりも厚み方向における一面側（取り付け対象体側の一面寄り）にその内径が最も小さい最小径部を形成すると共に一面側の口縁部から最小径部に向かうに従ってその内径が徐々に小さくなるように位置決め用孔を形成したことにより、従来のチャッキングプレート押さえ８ｘと比較して、挿入方向手前側の口縁部から最小径部までの厚み方向に沿った長さを十分に短くすることができるため、取付対象体に対するチャッキングプレート押さえの取り付け時に位置決め用凸部の先端部が位置決め用孔の内壁面に引っ掛かる事態を招くことなく、位置決め用凸部を位置決め用孔に十分に奥深くまでスムーズに挿入することができる。このため、チャッキングプレート押さえに浮きが生じた状態で固着されることなく、取付対象体に対して正しく位置決めした状態でチャッキングプレート押さえを確実かつ容易に取り付けることができる。したがって、本発明に係るカートリッジケースおよびディスクカートリッジによれば、チャッキングプレート押さえの浮きに起因するディスク状記録媒体およびチャッキングプレート押さえの傷付きを回避することができると共に、取付対象体からのチャッキングプレート押さえの外れに起因する各種トラブルを防止することができる。
【００１２】
また、本発明に係るチャッキングプレート押さえによれば、最小径部から他面側の口縁部に向かうに従ってその内径が徐々に大きくなるように位置決め用孔を形成したことにより、射出成形時に位置決め用孔２４における一面側の内壁面、および位置決め用孔における他面側の内壁面の双方において成形品（チャッキングプレート押さえ）が金型に引っ掛かる事態を招くことなく、金型からスムーズに剥離することができる。
【発明を実施するための最良の形態】
【００１３】
以下、添付図面を参照して、本発明に係るチャッキングプレート押さえ、カートリッジケースおよびディスクカートリッジの最良の形態について説明する。
【００１４】
図１，２に示すディスクカートリッジ１は、各種記録データの記録および再生が可能に構成された情報記録媒体であって、カートリッジ本体２、インナーロータ５、シャッタ部材６，６、チャッキングプレート７およびチャッキングプレート押さえ８等で構成されたカートリッジケース１ａ内に光ディスク９が収納されて構成されている。なお、図２では、本発明についての理解を容易とするために、その厚み方向におけるサイズを誇張して厚く図示している。この場合、光ディスク９は、一例として、片面仕様の書き換え型のディスク状記録媒体であって、図２に示すように、その中心部には、記録再生装置にチャッキング（クランプ）させるための直径１５ｍｍ程度の中心孔９ａが形成されている。この光ディスク９では、カートリッジ本体２内に配設されたチャッキングプレート７が記録再生装置におけるディスク回転機構（図示せず）によって下シェル３側に磁気的に引き寄せられる（吸引されて移動する）ことによってチャッキングプレート７とディスク回転機構との間に挟み込まれるようにしてチャッキングされる。
【００１５】
一方、カートリッジ本体２は、互いに嵌合可能に、つまり重ね合わせが可能に樹脂材料で射出成形された下シェル３および上シェル４を備えている。下シェル３は、一対の下シェル本体３ａ，３ｂを備えて構成されている。具体的には、図１，２に示すように、下シェル３（下シェル本体３ａ，３ｂ）は、底板１１ａと、底板１１ａの外縁部に立設されてカートリッジ本体２の側面部分を構成する側壁１１ｂとを備えている。また、下シェル３は、上シェル４に嵌合させた状態（上シェル４と一体化させた状態）において、両下シェル本体３ａ，３ｂにおける底板１１ａ，１１ａの間にディスクアクセス用開口部（以下、「開口部」ともいう）１２が形成されるように構成されている。この場合、開口部１２は、記録データの記録再生時において、カートリッジケース１ａ内の光ディスク９に対するディスクアクセス（記録再生装置によるチャッキングや、光学ヘッドを介してのレーザービームの照射等）が可能となるようにその開口領域が規定され、一例として、下シェル３の一方の外縁部から中心部を挟んで対向する他方の外縁部に亘って形成されている。上シェル４は、本発明における取付対象体に相当し、図２に示すように、天板１５ａと、天板１５ａの外縁部に立設されて下シェル３の側壁１１ｂと相俟ってカートリッジ本体２の側面部分を構成する側壁１５ｂと、カートリッジ本体２内にディスク収容部を形成する隔壁とを備えている。また、上シェル４における天板１５ａの内面側には、上シェル４にチャッキングプレート押さえ８を取り付けるための位置決め用凸部１６，１６（図６参照）が形成されている。この場合、位置決め用凸部１６，１６は、その高さ（天板１５ａからの突出長）がチャッキングプレート押さえ８の厚みＴ（図４参照）よりも僅かに低い０．６５ｍｍで、その外径（直径）が２．０ｍｍとなるように形成されている。
【００１６】
インナーロータ５は、図２に示すように、両下シェル本体３ａ，３ｂの間に形成される開口部１２とほぼ同じ幅の開口部５ａが形成された円板状の底板と、底板の外縁部に立設された側壁とで光ディスク９を載置可能な浅皿状に形成されて光ディスク９と共にカートリッジ本体２内に回動可能に収容されている。また、インナーロータ５の側壁には、記録再生装置におけるシャッタ開閉手段（図示せず）が噛合可能な噛合用歯部（図示せず）が形成されている。シャッタ部材６は、その一端部がインナーロータ５に軸支されると共に、その他端部側に下シェル３の凸部が挿通可能なスリット（図示せず）が形成されて、下シェル３とインナーロータ５との間に挟み込まれるようにしてカートリッジ本体２内に収容されている。このシャッタ部材６，６は、カートリッジ本体２に対してインナーロータ５が回動させられることによってインナーロータ５に対して回動させられて、開口部１２を閉塞する閉塞位置と、開口部１２を開口する開口位置との間をスライドさせられる。
【００１７】
チャッキングプレート７は、図２に示すように、磁性金属板（一例として、厚み０．３ｍｍ程度のステンレス板）をプレス加工することによって全体として鍔付き帽子状に形成されている。具体的には、チャッキングプレート７は、円板状の主板と、主板の外縁部に折り曲げ形成された円筒状の外側壁と、チャッキングプレート７をチャッキングプレート押さえ８によって上シェル４に取り付けるための鍔部とが一体形成されている。
【００１８】
チャッキングプレート押さえ８は、図２に示すように、薄板状に形成されて、上シェル４の天板１５ａにおける中央部の内面側にチャッキングプレート７を取り付けると共に、そのチャッキングプレート７に対して、その回転を許容しつつ上シェル４（取付対象体）からの離脱を規制する。また、チャッキングプレート押さえ８は、図３，４に示すように、取り付け用鍔部２１および離脱規制用鍔部２２が樹脂材料によって一体成形されている。この場合、取り付け用鍔部２１は、その厚みＴが一例として０．７ｍｍで、その内径Ｌ１がチャッキングプレート７の外径よりも若干大きいリング状に形成されている。また、取り付け用鍔部２１には、チャッキングプレート押さえ８の上シェル４に対する取り付け位置を規制するための位置決め用孔２４，２４が、チャッキングプレート押さえ８の中心を挟んで対向する位置に形成されると共に、チャッキングプレート押さえ８を上シェル４に固着させるための溶着用リブ２５，２５・・（図３参照）が、上シェル４に取り付けられる側の一面に形成されている。この場合、一方の位置決め用孔２４は丸孔状に形成され、他方の位置決め用孔２４は長孔状に形成されている。また、離脱規制用鍔部２２は、その内径Ｌ２がチャッキングプレート７の外径よりも小さい円形孔２３が形成されてリング状に形成されている。
【００１９】
この場合、図５に示すように、位置決め用孔２４は、チャッキングプレート押さえ８（取り付け用鍔部２１）における一面（同図における下面）から他面（同図における上面）にかけて連通形成され、チャッキングプレート押さえ８の厚み方向における中心（同図に一点鎖線で示す部位）よりも厚み方向における位置決め用凸部１６の挿入方向（同図に示す矢印Ｉの向き）における手前側（取付対象体としての上シェル４側の一面寄り：同図における下側）に、その内径が最も小さい最小径部３１が形成されている。具体的には、このチャッキングプレート押さえ８では、一例として、位置決め用凸部１６の挿入方向手前側の口縁部（同図における下側の口縁部）から最小径部３１までの厚み方向に沿った長さＬ３が０．３ｍｍ（厚みＴに対する３／７に相当する長さ）となるように形成されている。また、図６に示すように、最小径部３１は、上シェル４に形成された位置決め用凸部１６の外径（直径）とほぼ等しい内径（一例として、２．０ｍｍ）となるように形成されている。さらに、図５に示すように、位置決め用孔２４には、位置決め用凸部１６の挿入方向手前側における口縁部から最小径部３１に向かうに従ってその内径が徐々に小さくなるように第１斜面３２および第２斜面３３が形成されている。この場合、第１斜面３２は、チャッキングプレート押さえ８の厚み方向における中央部が位置決め用孔２４の内側に向かって突出する向きで断面円弧状となるように形成されている。また、第２斜面３３の傾斜角度θ１は、一例として、５°±１°に規定されている。さらに、位置決め用孔２４には、最小径部３１から位置決め用凸部１６の挿入方向奥側における口縁部に向かうに従ってその内径が徐々に大きくなるように第３斜面３４が形成されている。この第３斜面３４の傾斜角度θ２は、一例として、４５°±１°に規定されている。
【００２０】
この場合、取り付け用鍔部２１の厚みＴが０．７ｍｍの場合、上記の長さＬ３が０．１ｍｍ未満（厚みＴに対する１／７未満の長さ）では、第１斜面３２および第２斜面３３（案内用の斜面）の厚み方向に沿った長さが短くなりすぎて、両斜面３２，３３によって位置決め用凸部１６の中心と位置決め用孔２４の中心とを一致させるようにチャッキングプレート押さえ８を案内するのが困難となるおそれがある。したがって、上記の長さＬ３が０．１ｍｍ以上（厚みＴに対する１／７以上の長さ）となるように最小径部３１を形成するのが好ましい。一方、取り付け用鍔部２１の厚みＴが０．７ｍｍの場合、上記の長さＬ３が０．３５ｍｍ以上（厚みＴの１／２以上の長さ）となっている状態では、チャッキングプレート押さえ８の取り付けに際して、従来のチャッキングプレート押さえ８ｘと同様にして浮きが生じるおそれがある。したがって、上記の長さＬ３が０．３５ｍｍ未満（厚みＴの１／２未満の長さ）となるように最小径部３１を形成するのが好ましい。
【００２１】
また、第２斜面３３の傾斜角度θ１が３°未満のときには、射出成形時における金型からの剥離が困難となるおそれがある。したがって、上記の傾斜角度θ１が３°以上となるように第２斜面３３を形成するのが好ましい。一方、第２斜面３３の傾斜角度θ１が１０°を超えているときには、位置決め用孔２４の内側に向かって突出している最小径部３１の近傍が鋭利過ぎる状態で突出して破損し易くなる。したがって、上記の傾斜角度θ１が１０°以下となるように第２斜面３３を形成するのが好ましい。また、第３斜面３４の傾斜角度θ２が１０°未満のときには、射出成形時における金型からの剥離が困難となるおそれがある。したがって、上記の傾斜角度θ１が１０°以上となるように第３斜面３４を形成するのが好ましい。一方、第３斜面３４の傾斜角度θ２が６０°を超えているときには、位置決め用孔２４の内側に向かって突出している最小径部３１の近傍が鋭利過ぎる状態で突出して破損し易くなる。したがって、上記の傾斜角度θ１が６０°以下となるように第３斜面３４を形成するのが好ましい。
【００２２】
このディスクカートリッジ１の製造に際しては、下シェル３（下シェル本体３ａ，３ｂ）、上シェル４、インナーロータ５、シャッタ部材６，６およびチャッキングプレート押さえ８等を射出成形する。この場合、チャッキングプレート押さえ８の成形に際しては、第１斜面３２から第３斜面３４までの各斜面３２〜３４を有する位置決め用孔２４を形成可能に構成された金型にチャッキングプレート押さえ８の厚み方向と平行な面（チャッキングプレート押さえ８の板面と直交する面）が存在しないため、キャビティ内に成形される成形品（チャッキングプレート押さえ８）が金型に引っ掛かることなくスムーズに剥離する。一方、ディスクカートリッジ１（カートリッジケース１ａ）の組み立てに際しては、まず、上シェル４にチャッキングプレート７を取り付ける。具体的には、上シェル４における天板１５ａの内面側中央部にチャッキングプレート７を載置する。次いで、天板１５ａに形成された位置決め用凸部１６，１６がチャッキングプレート押さえ８の位置決め用孔２４，２４に挿入され、かつ、天板１５ａ上のチャッキングプレート７における外縁部が離脱規制用鍔部２２によって覆われるように、チャッキングプレート押さえ８を天板１５ａの内面側中央部に載置する。
【００２３】
この際に、このディスクカートリッジ１では、位置決め用孔２４に対する位置決め用凸部１６の挿入方向手前側の口縁部から最小径部３１に向かうに従って位置決め用孔２４の内径が徐々に小さくなるように第１斜面３２および第２斜面３３が形成されている。したがって、位置決め用凸部１６の先端部１６ａが第１斜面３２および第２斜面３３に当接することよってチャッキングプレート押さえ８および位置決め用凸部１６の双方の中心が一致するようにして上シェル４に対してチャッキングプレート押さえ８が案内される。また、チャッキングプレート押さえ８に形成された位置決め用孔２４の最小径部３１がチャッキングプレート押さえ８の厚み方向における中心よりも挿入方向手前側に位置するように位置決め用孔２４が形成されて、挿入方向手前側の口縁部から最小径部３１までの厚み方向に沿った長さＬ３が０．３ｍｍと短く形成されている。したがって、図６に示すように、位置決め用凸部１６の先端部１６ａが第１斜面３２および第２斜面３３に引っ掛かる事態を招くことなく、最小径部３１が位置決め用凸部１６の周面１６ｂに当接するまで位置決め用凸部１６を位置決め用孔２４にスムーズに挿入することが可能となっている。
【００２４】
次いで、超音波溶着機における円筒状の超音波ホーン（図示せず）の端面をチャッキングプレート押さえ８の取り付け用鍔部２１に当接させた状態で超音波を印加する。この際に、位置決め用凸部１６の高さがチャッキングプレート押さえ８（取り付け用鍔部２１）の厚みＴよりも低くなるように形成されているため、超音波ホーンの端面を取り付け用鍔部２１の表面に確実に接触させることができる。したがって、印加された超音波によって取り付け用鍔部２１と天板１５ａとの接触部位（溶着用リブ２５，２５・・）が溶融してチャッキングプレート押さえ８が上シェル４に取り付けられる。この際に、位置決め用凸部１６の先端部１６ａが第１斜面３２および第２斜面３３に引っ掛かることなく十分に奥深くまで位置決め用孔２４に挿入されてチャッキングプレート押さえ８に浮きが生じる事態が回避されている。したがって、取り付け用鍔部２１の全域において溶着用リブ２５，２５・・が溶融して、チャッキングプレート押さえ８が上シェル４に確実に固着される。続いて、光ディスク９、インナーロータ５およびシャッタ部材６，６等を上シェル４上の所定位置に載置した後に、下シェル３（下シェル本体３ａ，３ｂ）を上シェル４に重ね合わせてねじ止めする。これにより、図１，２に示すように、ディスクカートリッジ１（カートリッジケース１ａ）の組み立てが完了する。
【００２５】
このように、このチャッキングプレート押さえ８によれば、その厚み方向における中心よりも厚み方向における一面側（取り付け対象体である上シェル４側の一面寄り：厚み方向における位置決め用凸部１６の挿入方向手前側）にその内径が最も小さい最小径部３１を形成すると共に一面側の口縁部から最小径部３１に向かうに従ってその内径が徐々に小さくなるように第１斜面３２および第２斜面３３を形成して位置決め用孔２４を形成したことにより、従来のチャッキングプレート押さえ８ｘと比較して、挿入方向手前側の口縁部から最小径部３１までの厚み方向に沿った長さＬ３を十分に短くすることができるため、上シェル４に対するチャッキングプレート押さえ８の取り付け時に位置決め用凸部１６の先端部１６ａが位置決め用孔２４の内壁面（第１斜面３２および第２斜面３３）に引っ掛かる事態を招くことなく、位置決め用凸部１６を十分に奥深くまで位置決め用孔２４にスムーズに挿入することができる。このため、チャッキングプレート押さえ８に浮きを生じた状態で固着（超音波溶着）することなく、上シェル４に対して正しく位置決めした状態でチャッキングプレート押さえ８を確実かつ容易に取り付けることができる。したがって、このカートリッジケース１ａおよびディスクカートリッジ１によれば、チャッキングプレート押さえ８の浮きに起因する光ディスク９およびチャッキングプレート押さえ８の傷付きを回避することができると共に、上シェル４からのチャッキングプレート押さえ８の外れに起因する各種トラブルを防止することができる。
【００２６】
また、このチャッキングプレート押さえ８によれば、最小径部３１から他面側（上記の一面側の裏面側）の口縁部に向かうに従って、つまり、最小径部３１から位置決め用凸部１６の挿入方向奥側の口縁部に向かうに従ってその内径が徐々に大きくなるように第３斜面３４を形成して位置決め用孔２４を形成したことにより、射出成形時に位置決め用孔２４における一面側（位置決め用凸部１６の挿入方向手前側）の内壁面、および位置決め用孔２４における他面側（位置決め用凸部１６の挿入方向奥側）の内壁面の双方において成形品（チャッキングプレート押さえ８）が金型に引っ掛かる事態を招くことなく、金型からスムーズに剥離することができる。
【００２７】
なお、本発明は、上記した構成に限定されない。例えば、上記のチャッキングプレート押さえ８では、最小径部３１から位置決め用凸部１６の挿入方向奥側の口縁部に向かってその内径が徐々に大きくなるように位置決め用孔２４を形成しているが、本発明はこれに限定されず、図７に示すチャッキングプレート押さえ８Ａのように、最小径部３１から位置決め用凸部１６の挿入方向奥側の口縁部までの間においてその内径が一定またはほぼ一定に形成した位置決め用孔４４を取り付け用鍔部２１に形成することもできる。なお、前述したチャッキングプレート押さえ８と同様の構成要素については、同一の符号を付して重複する説明を省略する。この構成においても、上記のチャッキングプレート押さえ８と同様にして上シェル４への取り付けに際してチャッキングプレート押さえ８Ａに浮きが生じる事態を回避することができる。また、前述したチャッキングプレート押さえ８では、位置決め用孔２４の内側に向かって突出する向きで断面円弧状となるように第１斜面３２が形成されているが、チャッキングプレート押さえ８Ａにおける位置決め用孔４４の第１斜面３２ａのように、その断面が直線状となるように形成することもできる。
【００２８】
さらに、本発明におけるディスク状記録媒体としては、上記した書き換え型の光ディスク９に限定されず、再生専用タイプの光ディスクや追記型の光ディスクなどの各種の光ディスク、および光磁気ディスクや磁気ディスクも含まれる。また、前述したディスクカートリッジ１では、別個独立した下シェル本体３ａ，３ｂを有する下シェル３を備えてカートリッジ本体２が構成されているが、図示しない連結部を介して下シェル本体３ａ，３ｂを一体的に連結した下シェルを採用してカートリッジケースを構成することもできる。さらに、ディスクアクセス用開口部の開口形状は、上記の例のようにカートリッジケースの前後方向に長い長方形形状に限定されるものではなく、カートリッジケースの左右方向に長い長方形形状や、方形形状のカートリッジケースにおける対角線方向に長い長方形形状であってもよい。また、ディスクカートリッジとしては、２つの光学ヘッドを同時に用いた記録再生が可能なタイプに限定されず、単一の光学ヘッドを用いた記録再生が可能なディスクアクセス用開口部が形成された下シェル（図示せす）を有するカートリッジ本体を備えて構成されたカートリッジケース内にディスク状記録媒体が収容されたディスクカートリッジが含まれる。
【図面の簡単な説明】
【００２９】
【図１】ディスクカートリッジ１の外観斜視図である。
【図２】図１におけるＡ−Ａ線断面図である。
【図３】チャッキングプレート押さえ８の平面図である。
【図４】図３におけるＢ−Ｂ線断面図である。
【図５】位置決め用孔２４近傍のチャッキングプレート押さえ８の側面断面図である。
【図６】上シェル４に取り付けられた状態のチャッキングプレート押さえ８の側面断面図である。
【図７】位置決め用孔４４近傍のチャッキングプレート押さえ８Ａの側面断面図である。
【図８】上シェル２１ｘに取り付けられた状態の従来のチャッキングプレート押さえ８ｘの断面図である。
【図９】浮きが生じた状態で上シェル２１ｘに取り付けられた状態の従来のチャッキングプレート押さえ８ｘの断面図である。
【符号の説明】
【００３０】
１  ディスクカートリッジ
１ａ  カートリッジケース
２  カートリッジ本体
４  上シェル
７  チャッキングプレート
８，８Ａ  チャッキングプレート押さえ
９  光ディスク
１５ａ  天板
１６  位置決め用凸部
１６ａ  先端部
１６ｂ  周面
２１  取り付け用鍔部
２２  離脱規制用鍔部
２３  円形孔
２４，４４  位置決め用孔
２５  溶着用リブ
３１  最小径部
３２，３２ａ  第１斜面
３３  第２斜面
３４  第３斜面
Ｉ  矢印
Ｌ３  長さ
Ｔ  厚み
θ１，θ２  傾斜角度
【図１】
2007048357.tif 000003
【図２】
2007048357.tif 000004
【図３】
2007048357.tif 000005
【図４】
2007048357.tif 000006
【図５】
2007048357.tif 000007
【図６】
2007048357.tif 000008
【図７】
2007048357.tif 000009
【図８】
2007048357.tif 000010
【図９】
2007048357.tif 000011